(57)【要約】      （修正有）【課題】複数を組み合わせて使用される平面表示パネルの繋ぎ目を略下方向から見た際に、隙間から余計な光を漏らさない構造を得る。【解決手段】所定の配列規則で配列された複数色の発光素子を単位画素（９２）として該単位画素が格子状に配列され、同一方向の同列に配列された単位画素の画素列と並行して隣接する画素列との間に、該画素列に並行して繋がる単位光遮断部材（５または６）を有した平面表示パネル（１または２）の複数枚が同一平面上に組み合わせて構成される組み合わせ式表示装置において、前記平面表示パネルを組み合わせる際に、隣り合う平面表示パネル上の各同列に配列された各単位光遮断部材間の隙間（ｌ）を補間して、前記同列内で一続きの光遮断部材（５及び６）を構成する光遮断部構成手段を有する。【選択図】      図２
2004177881.tif 000002
【特許請求の範囲】
【請求項１】
複数色の発光素子が配列された平面表示パネルの複数枚を組み合わせて構成する組み合わせ式表示装置であって、
隣り合う前記平面表示パネルに配列された同じ並びの発光素子に並行して一続きとなり、上方からの光を遮断する光遮断部材を構成する光遮断部構成手段を有することを特徴とする組み合わせ式表示装置。
【請求項２】
所定の配列規則で配列された複数色の発光素子を単位画素として一面に配列した平面表示パネルの複数枚が同一平面上に組み合わせて構成される組み合わせ式表示装置であって、
前記平面表示パネルを組み合わせる際に、隣り合う平面表示パネル上の互いの同列に配列された単位画素で構成される画素列に沿って一続きとなり、上方からの光を遮断する光遮断部材を構成する光遮断部構成手段を有することを特徴とする組み合わせ式表示装置。
【請求項３】
所定の配列規則で配列された複数色の発光素子を単位画素として該単位画素が格子状に配列され、同一方向の同列に配列された単位画素の画素列と並行して隣接する画素列との間に、該画素列と並行して上方からの光を遮断する単位光遮断部材を有した平面表示パネルの複数枚が同一平面上に組み合わせて構成される組み合わせ式表示装置であって、
前記平面表示パネルを組み合わせる際に、隣り合う平面表示パネル上の各同列に配列された前記単位光遮断部材間に生ずる隙間を補間して、前記組み合わされた平面表示パネルの該同列の単位光遮断部材に渡って一続きとなり、該隙間を通る上方からの光を遮断する光遮断部材を構成する光遮断部構成手段を有することを特徴とする組み合わせ式表示装置。
【請求項４】
前記光遮断部構成手段は、前記同列内で一体の棒を構成する、ことを特徴とする請求項１乃至３の何れか一つに記載の組み合わせ式表示装置。
【請求項５】
前記光遮断部構成手段は、前記光遮断部材が構成される位置に対して、前記平面表示パネル内に該平面表示パネル毎に構成される単位光遮断部材の、端部から突き出た弾性状の部分光遮断部材を構成する、ことを特徴とする請求項１乃至３の何れか一つに記載の組み合わせ式表示装置。
【請求項６】
前記光遮断部構成手段は、前記光遮断部材が構成される位置に対して、前記平面表示パネル内に該平面表示パネル毎に構成される単位光遮断部材の、隣り合う前記平面表示パネルの同列の単位光遮断部材同士を繋ぐ弾性状の接続用部分光遮断部材を構成する、ことを特徴とする請求項１乃至３の何れか一つに記載の組み合わせ式表示装置。
【請求項７】
前記一続きの光遮断部材は、見かけ上一続きとなる、ことを特徴とする請求項１乃至６に記載の組み合わせ式表示装置。
【請求項８】
請求項１乃至７の何れか一つに記載の組み合わせ式表示装置に使用される前記平面表示パネル。
【請求項９】
請求項１乃至７の何れか一つに記載の組み合わせ式表示装置の前記光遮断部構成手段。
【請求項１０】
所定の配列規則で配列された複数色の発光素子を単位画素として一面に配列した平面表示パネルの複数枚を、同一平面上に組み合わせて組み合わせ式表示装置を構成する平面表示パネルの組み合わせ方法であって、
前記平面表示パネルを組み合わせる際に、隣り合う該平面表示パネル上の各同列に配列された単位画素の画素列間に、該画素列に並行して一続きとなり、上方からの光を遮断する光遮断部材を形成することを特徴とする平面表示パネルの組み合わせ方法。
【発明の詳細な説明】
【０００１】
【発明の属する技術分野】
本発明は平面表示パネルを組み合わせて構成する大型表示装置に関し、特に平面表示パネルを組み合わせた際の視認性を向上させる技術に関する。
【０００２】
【従来の技術】
一般に、街頭で行なわれる宣伝広告活動では様々な形態のものが見受けられるが、中でも大型表示画面に宣伝内容を映し出すことにより一度に多くの人に宣伝広告できる、大型表示装置による宣伝広告活動に及ぶものはない。
【０００３】
この大型表示装置の中にも、例えばＬＥＤ表示装置やＰＤＰ（Ｐｌａｓｍａ  ＤｉｓｐｌａｙＰａｎｅｌ）、ＶＦＤ（Ｖａｃｕｕｍ  Ｆｌｕｏｒｅｓｃｅｎｔ  Ｄｉｓｐｌａｙ）、ＦＥＤ（Ｆｉｅｌｄ  Ｅｍｉｓｓｉｏｎ  Ｄｉｓｐｌａｙ）、或いはＥＬ（Ｅｌｅｃｔｒｏ  Ｌｕｍｉｎｅｓｃｅｎｃｅ）ディスプレイなど、多種多様の表示装置がある。大型というだけあって、このような表示装置の表示画面は複数の小さな表示パネルが組み合わされて構成されている（別名、組み合わせ式表示装置と呼ぶ）。
【０００４】
そして、大型表示装置は、遠くからでも表示内容をよりよく見て取れ、一度に多くの人に様々な種類の情報を提供できるという性質から、これら大型表示装置に求められる条件として視認性が挙げられる。
【０００５】
大型表示装置は、建物の内外を問わずどこにおいても利用されているが、その視認性に対して外光が大いに影響してくる。特に屋外に設置された大型表示装置において、日中など表示画面に入射する日光の光量が非常に多い場合には、表示画面に映し出されている映像のコントラストが低下して、その表示画面は全体的に白っぽく見えるようになり、そのため視認性が低下してしまう。
【０００６】
これを解決するためにいくつかの技術が開示されており、その一つとして図９に示されるものがある。
図９は上述したような大型表示装置の表示画面を構成する表示パネルを示したものであり、これを表示画面側から図示した表示パネルの正面図が図９（ａ）に示され、この正面図に対する表示パネルの右側面図の、上端から二つ目の丸印で示される画素までの図が図９（ｂ）に示されている。
【０００７】
同図に示されるように、この表示パネル９０は、光源も兼ねる発光素子の複数色（同図の吹き出し窓９１には、赤色の発光素子をＲ、緑色の発光素子をＧ、青色の発光素子をＢで示し、Ｂを中心とする対向位置にＲとＧが一つずつ均等に配置されている）を１画素９２の情報表示に用い、複数の丸印で示される画素９２を同図に示されるように一平面上に格子状に配列させたタイプのもの（以降、平面表示パネルと呼ぶ）である。なお、後述する図においても、特に明記しない限り上記５つの発光素子をまとめて１つの丸印で示すこととした。
【０００８】
そして、同図（ｂ）に示されるように平面表示パネル９０の表示画面の法線方向（同図の左方向）に向かって突出し、図９（ａ）に示されるように表示面の横走査方向（同図の水平方向）に一続きの、平面表示パネル９０単体に対して用いられる光遮断用の部材９３（以降、ルーバーと呼ぶ）が、同図上端の画素の並びから下端の画素の並びまでの各画素の並びに対する直近の上方位置に並行して取り付けられている。
【０００９】
このように上述したルーバー９３の取り付けによって、日光などから降り注がれる外光を遮断し、表示画面の視認性低下を低減させることができる。
一方、このような大型表示装置は一般に建物の壁や屋上等の比較的高い位置に設置して使用されることが多く、その表示画面を見ようとする者は、その設置位置の直下に近づくに連れ、当然ではあるが、表示画面を見上げる角度が急になってくる。大型表示装置ではより多くの人に表示内容を見てもらうために、表示画面を構成する平面表示パネルの視認角度が幅広く、上述したように見上げて表示画面を見る人に対してもよりよく視認できる構造となっている。
【００１０】
【発明が解決しようとする課題】
しかし、各平面表示パネルの外形は製造誤差（公差）を考慮してやや小さめに作られており、全平面表示パネルに渡って、隣り合う画素のピッチが等しくなうように平面表示パネルを組み合わせると、隣り合う平面表示パネルの繋ぎ目に若干の隙間が生じてしまう。
【００１１】
図１０は、上述したように隣り合う画素のピッチが等しくなうように平面表示パネルを隣り合わせで組み合わせた例である。
図１０（ａ）は、水平方向に組み合わされた２つの平面表示パネル９０の正面図であり、図１０（ｂ）は、図１０（ａ）に人の目で示された位置１００から２つの平面表示パネル９０の繋ぎ目を見た場合の図である。すなわち、上述したように、高所に設置された大型表示装置の表示画面をその設置位置の直下（表示画面の正面に対する底面側の位置）のやや正面右側寄りから人が見上げた場合に見える表示画面の内、２枚の平面表示パネルの繋ぎ目の下端から５つ目までの画素をクローズアップして示した図である。なお、課題を詳しく説明するため、同図（ｂ）では各画素を構成する上述した５つの発光素子をそれぞれ明記することとした。
【００１２】
図１０は、２枚の平面表示パネル９０が正面に向かって横並びに組み合わされている。
この時、各平面表示パネル９０の繋ぎ目側の画素１０１間のピッチｍと、各平面表示パネル９０内の画素間ピッチｎとが等しくなるように互いの平面表示パネル９０が組み合わされている。
【００１３】
そして、互いの平面表示パネル９０の繋ぎ目は、同図のように隙間ｌが開いている。
図１０（ｂ）に示すように、同図の左側に配置された平面表示パネル９０の繋ぎ目側に配置されている発光素子の一部分のみ（同図では、下端の発光素子の全てとその他は緑色の発光素子のみが示されている）がその隙間ｌから発光部を覗かせている。
【００１４】
このことにより、平面表示パネル９０に設計される各画素のピッチやルーバーの高さなどによっても左右されるが、ある視認角度に達すると表示画面上の平面表示パネルの繋ぎ目に所定の発光色のみで形成された無意味な発光素子の列（縦線）が現れてしまい、表示画面の内容を見ようとする人にとっても、またそうでない人にとってもこの縦線は不快となるので問題である。
【００１５】
また、この隙間ｌに外光が入り込んでしまい、表示画面上の平面表示パネルの繋ぎ目に、そこに入射した光の反射光による縦線が見えるようになり、このことも視認性を低下させる要因となり問題である。
【００１６】
そこで本発明は、上記課題を解決するために、複数を組み合わせて使用される平面表示パネルの繋ぎ目において、上述した各種の線が現れないようにした組み合わせ式表示装置、平面表示パネル、光を遮断するための光遮断部構成手段、及び平面表示パネルの組み合わせ方法を提供することを目的とする。
【００１７】
【特許文献１】
特開２０００−１０５３０３号公報
【００１８】
【課題を解決するための手段】
本発明は上記課題を解決するために以下のように構成する。
すなわち本発明の態様の一つは、複数色の発光素子が配列された平面表示パネルの複数枚が組み合わされて構成される組み合わせ式表示装置を前提とし、隣り合う前記平面表示パネルに配列された同じ並びの発光素子に並行して一続きとなり、上方からの光を遮断する光遮断部材を構成する光遮断部構成手段を有する。
【００１９】
また、本発明の他の態様の一つは、所定の配列規則で配列された複数色の発光素子を単位画素として一面に配列した平面表示パネルの複数枚が同一平面上に組み合わせて構成される組み合わせ式表示装置を前提とし、前記平面表示パネルを組み合わせる際に、隣り合う平面表示パネル上の互いの同列に配列された単位画素で構成される画素列に沿って一続きとなり、上方からの光を遮断する光遮断部材を構成する光遮断部構成手段を有する。
【００２０】
また、本発明の他の態様の一つは、所定の配列規則で配列された複数色の発光素子を単位画素として該単位画素が格子状に配列され、同一方向の同列に配列された単位画素の画素列と並行して隣接する画素列との間に、該画素列と並行して上方からの光を遮断する単位光遮断部材を有した平面表示パネルの複数枚が同一平面上に組み合わせて構成される組み合わせ式表示装置を前提とし、前記平面表示パネルを組み合わせる際に、隣り合う平面表示パネル上の各同列に配列された前記単位光遮断部材間に生ずる隙間を補間して、前記組み合わされた平面表示パネルの該同列の単位光遮断部材に渡って一続きとなり、該隙間を通る上方からの光を遮断する光遮断部材を構成する光遮断部構成手段を有する。
【００２１】
このように構成することによって、前記平面表示パネルを組み合わせた際に、該平面表示パネルに渡って一続きの光遮断部材を構成することが可能となる。
なお、上記３つの態様の何れかの光遮断部構成手段は、前記同列内で一体の棒を構成したり、前記光遮断部材が構成される位置に対して、前記平面表示パネル内に該平面表示パネル毎に構成される単位光遮断部材の、端部から突き出た弾性状の部分光遮断部材を構成したり、或いは、前記光遮断部材が構成される位置に対して、前記平面表示パネル内に該平面表示パネル毎に構成される単位光遮断部材の、隣り合う前記平面表示パネルの同列の単位光遮断部材同士を繋ぐ弾性状の接続用部分光遮断部材を構成したりすることが望ましい。
【００２２】
また、前記一続きの光遮断部材は、見かけ上が一続きとなっていてもよい。
また、本発明の他の態様の一つは、上述した何れかの態様で使用される前記平面表示パネルや前記光遮断部構成手段。
【００２３】
また、本発明の他の態様の一つは、所定の配列規則で配列された複数色の発光素子を単位画素として一面に配列した平面表示パネルの複数枚を、同一平面上に組み合わせて組み合わせ式表示装置を構成する平面表示パネルの組み合わせ方法であって、前記平面表示パネルを組み合わせる際に、隣り合う該平面表示パネル上の各同列に配列された単位画素の画素列間に、該画素列に並行して一続きとなり、上方からの光を遮断する光遮断部材を形成する。
【００２４】
【発明の実施の形態】
以下、本発明の実施の形態について図を参照しながら説明する。
但し、本発明の実施の形態の一つである大型表示装置（組み合わせ式表示装置）は複数枚の平面表示パネルが組み合わされて構成されるものであり、この組み合わせの方法は２枚の平面表示パネル間の組み合わせ方法が他の平面表示パネル間でも同様に繰り返されるだけであるので、以下の説明においては、２枚の平面表示パネルの組み合わせ方法について言及するものとする。
【００２５】
また、本発明の実施の形態の説明の中で参照する平面表示パネルの図は図９に示すルーバー９３の端部に特徴を持ったものを示しており、その他各部の平面表示パネルの構成は特に明記しない限り従来技術の平面表示パネルに基づいた構成とし、その部分には従来技術の説明で参照した図９または図１０と同一の符号を付すものとする。
（実施例１）
図１は、水平方向に組み合わせた２枚の平面表示パネルを上方（上端のルーバー側）から作図した、平面表示パネルの平面図である。同図における下方向が平面表示パネルの表示画面の法線方向にあたる。
【００２６】
同図に示されるように平面表示パネル１（または２）のルーバー３（または４）の両端は、やや湾曲させながら互いに噛み合う方向に斜めにカットされて形成され、各端部は図１０（ａ）の平面表示パネルを例に挙げると同図の隙間ｌを埋めるように一方のルーバー９３から隙間ｌを隔てた同列の他方のルーバー９３に向けて互いに突き出て構成されている。
【００２７】
この突き出た部分は、平面表示パネルを組み合わせた際に、隣り合うルーバー３及び４の間に図１０（ａ）の隙間ｌを作らない、組み合わせた平面表示パネルの同列のルーバー３及び４に渡って見かけ上一続きとなるルーバー（或いは光遮断部材とも呼ぶ）を形成する。
【００２８】
また、熱膨張等により図１の各平面表示パネル１及び２が接近して、各平面表示パネル１及び２の間の隙間が小さくなると、通常状態時で接触している同図の各ルーバー３及び４は互いに押し合うようになる。
【００２９】
そこで、これらルーバー３、４の端部は、互いの押し合いに対して変形を自在に行なって力を逃がすことが可能な例えばゴムなどの弾性部材で形成することが望ましい。
【００３０】
このような構成により、同図の破線で示されるように互いに接触する一方のルーバー３の端部は同図上方に押し曲げられ、同様に示される他方のルーバー４の端部は同図下方に押し曲げられることで、平面表示パネルに影響を与えることなく上記一続きのルーバーの状態を維持している。
【００３１】
なお、図１は平面表示パネルの最上端部のルーバー３及び４のみが示されているが、それ以外の図示されていない図１０（ａ）に示す各列のルーバーも同様な構成であることが望ましい。
【００３２】
また、ルーバー３及び４の端部は弾性部材で形成していると上述したが、ルーバー３及び４全体に渡って同一の部材で形成させてもよい。
また、ルーバー端部の厚みはルーバー本体の厚みとすることが望ましいが、それとは異なる厚みにしても良く、適宜設定することができる。
【００３３】
以上のように、本実施例においては、水平方向に組み合わされる平面表示パネル間の隙間が、互いの同列のルーバー間で一続きとなるので、平面表示パネル間の隙間から、所定の発光素子で形成される無意味な縦線や入射してくる外光を遮断することが可能となる。
【００３４】
また、ルーバー端部の部材を弾性部材で構成することによって、熱膨張による平面表示パネル間の押し合いを回避することが可能となる。
（実施例２）
図２は、水平方向に組み合わせた２枚の平面表示パネルの正面図の一部を示している。
【００３５】
同図は、２枚の平面表示パネル１及び２を水平に組み合わせた際の表示画面側から作図され、平面表示パネルの繋ぎ目から２つ目の画素９２までの一画素列のみがクローズアップして示され、平面表示パネル１（または２）の上方にルーバー５（または６）が構成されている。
【００３６】
同図に示されるように平面表示パネル１及び２のルーバー５及び６の隙間ｌ側の各端部は互いに上下重なり合うように一方は斜め上方向きに他方はそれと噛み合うように斜め下向きにカットされて形成され、各端部はこの隙間ｌを互いに上下重なり合って埋めるように互いに隙間ｌ方向に突き出て構成されている。
【００３７】
この突き出た部分は、平面表示パネル１及び２を組み合わせた際に、隣り合うルーバー５及び６の間に隙間ｌを作らない、組み合わせた平面表示パネル１及び２の同列のルーバー１及び２に渡って見かけ上一続きとなるルーバー（或いは光遮断部材とも呼ぶ）を形成する。
【００３８】
また、熱膨張等により図２の各平面表示パネル１及び２が接近して、各平面表示パネル１及び２の間の隙間ｌが小さくなると、通常状態時で重なり合う同図の各ルーバー５及び６は互いに反対向き（一方が上方向で他方が下方向）に押し合う。
【００３９】
そこで、これらルーバー５、６の端部は、互いの押し合いに対して変形を自在に行なって力を逃がすことが可能な例えばゴムなどの弾性部材で形成されることが望ましい。
【００４０】
このような構成により、同図の破線で示されるように互いに重なり合う一方のルーバー５の端部は同図上方に押し上げられ、同様に示される他方のルーバー６の端部は同図下方に押し下げられることで、平面表示パネル１及び２に影響を与えることなく上記一続きのルーバーの状態を維持している。
【００４１】
なお、図２は平面表示パネルの一画素列の一部分のルーバー５及び６についてのみ示されているが、それ以外の図示されていない図１０（ａ）に示される各ルーバー９３の端部も同様な構成であることが望ましい。
【００４２】
また、ルーバー５及び６の端部は弾性部材で形成していると上述したが、ルーバー全体に渡って同一の部材で形成させてもよい。
また、ルーバー端部の同図奥行き方向の形状はルーバー本体（以下においても同様の意味とするが、ルーバーの端部以外をルーバー本体と呼ぶこととする）と同一形状であることが望ましいが、例えばルーバー本体よりも狭めに設定したり広めに設定したりするなど、適宜設定することもできる。
【００４３】
また、ルーバー端部の厚みは同図のようにルーバー本体の厚みとすることが望ましいが、それとは異なる厚みにしても良く、適宜設定することができる。
以上のように、本実施例においては、水平方向に組み合わされる平面表示パネル間の隙間が、互いの同列のルーバー間で一続きとなるので、平面表示パネル間の隙間から、所定の発光素子で形成される無意味な縦線や入射してくる外光を遮断することが可能となる。
【００４４】
また、ルーバー端部の部材を弾性部材で構成することによって、熱膨張による平面表示パネル間の押し合いを回避することが可能となる。
（実施例３）
図３は水平方向に組み合わせる際の２枚の平面表示パネルの正面図を示し、図３（ａ）には２枚の平面表示パネルの組み合わせ前の図を示し、図３（ｂ）には２枚の平面表示パネルの組み合わせ後の図を示している。
【００４５】
同図は、２枚の平面表示パネル１及び２を水平に組み合わせた際の表示画面側から作図され、各画素列の上方のルーバー９３の上に、隙間ｌを埋めるための接合用ルーバー７（または８）が構成されている。
【００４６】
なお、説明を分かり易くするために、平面表示パネル一枚当たりの画素９２が縦２列横２列である計４画素の平面表示パネルを例に挙げている。
同図接合用ルーバー７及び８の配置関係から明らかなように、本実施例においては１枚の平面表示パネル１または２の接合用ルーバーの左端が外側に突き出し、同一の平面表示パネル１または２の接合用ルーバーの右端がその突き出した分から隙間ｌの長さを差し引いた分だけ内側に引っ込んだ形状でルーバー９３上に構成されている。
【００４７】
同図平面表示パネル２に構成される接合用ルーバー８の左端の突き出た部分は、平面表示パネルを組み合わせた際に、左隣りの平面表示パネル１に構成される接合用ルーバー７の右端の、平面表示パネル１の左端から引っ込んだ領域に挿入される。
【００４８】
そして、このことにより、図３（ｂ）に示すように互いの接合用ルーバー７及び８間に隙間ｌを作らない、組み合わせた平面表示パネル１及び２の同列のルーバー７及び８に渡って見かけ上一続きとなる接合用ルーバー（或いは光遮断部材とも呼ぶ）を形成する。
【００４９】
また、熱膨張等により図３（ｂ）の各平面表示パネル１及び２が接近して、各平面表示パネル１及び２の間の隙間ｌが小さくなると、通常状態時で接合する同図の各接合用ルーバー７及び８は互いに反対向き（一方が上方向で他方が下方向）に押し合う。
【００５０】
そこで、接合用ルーバー７及び８が互いに接合する端部の形状を実施例２の形状とすることが望ましい。
そして、平面表示パネルから左に突き出す接合用ルーバー８の端部は、互いの押し合いに対して変形を自在に行なって力を逃がすことが可能な例えばゴムなどの弾性部材で形成することが望ましい。
【００５１】
このような構成により、図３（ｂ）に示されるように平面表示パネル２に構成された接合用ルーバー８の端部が同図上方に押し上げられることで、平面表示パネル１及び２に影響を与えることなく上記一続きのルーバーの状態を維持している。
【００５２】
なお、接合用ルーバー７及び８の端部の形状及び部材の形成は実施例１で示した形状及び部材としてもよい。
また、このような熱膨張による押し合いを解消するために、接合用ルーバー７または８の右端を平面表示パネル１または２の右端からさらに引っ込ませて構成させてもよい。
【００５３】
また、本実施例では、接合用ルーバー７及び８が左に突き出た構成を示したが、例えばこれとは左右対称となる右に突き出す構成であったり、各画素列毎に接合用ルーバーが右に突き出していたり左に突き出していたりする構成としても良く、接合用ルーバーの配置は適宜設定してよい。
【００５４】
また、接合用ルーバー７または８の一端は弾性部材で形成していると上述したが、接合用ルーバー全体に渡って同一の部材で形成させてもよい。
また、接合用ルーバーは上述したようにルーバー９３上に一続きになるように構成しなくてもよく、ルーバー９３上の左端及び右端のみに上述した機能をもつ接合用ルーバー（或いは部分光遮断部材とも呼ぶ）を構成してもよい。
【００５５】
また、ルーバー９３に対して接合用ルーバー７または８が自由にスライドできるように、例えばルーバー９３の上面にレールを形成して接合用ルーバー７または８にそのレール上を自由にスライドできるようにするなどして、接合用ルーバー端部の平面表示パネル端部からの出し入れを可能とする構成としてもよい。
【００５６】
このように構成すれば、平面表示パネルの組み合わせ時に一端の接合用ルーバーを引き出せばよいし、平面表示パネルを外す際にはその引き出した接合用ルーバーの一端を内側に収容できるようになるので、平面表示パネルの交換も容易にできるようになる。
【００５７】
以上のように、本実施例においては、水平方向に組み合わされる平面表示パネル間の隙間が、互いの同列の接合用ルーバー間で一続きとなるので、平面表示パネル間の隙間から、所定の発光素子で形成される無意味な縦線や入射してくる外光を遮断することが可能となる。
【００５８】
また、接合用ルーバー端部の部材を弾性部材で構成したり、一方の突き出した接合用ルーバーを収容する接合用ルーバーの収容スペースを多くとったりすることによって、熱膨張による平面表示パネル間の押し合いを回避することが可能となる。
（実施例４）
図４は、水平方向に組み合わせた２枚の平面表示パネルの正面図を示している。
【００５９】
同図は、２枚の平面表示パネル１及び２を水平に組み合わせた際の表示画面側から作図され、平面表示パネル１（または２）の上方にルーバー９（または１０）が構成されている。
【００６０】
なお、説明を分かり易くするために、平面表示パネル一枚当たりの画素９２が縦２列横２列である計４画素の平面表示パネルを例に挙げている。
同図の平面表示パネル１及び２に構成されたルーバー９または１０から明らかなように、本実施例においては１つの平面表示パネル１（または２）に形成されるルーバー９（または１０）の左端に対し、外側に突き出た凸部分を形成し、同一の平面表示パネル１（または２）に形成されるルーバー９（または１０）の右端に対し、左端の凸部分に対応する凹部分を形成する。
【００６１】
なお、この凸部分は、特に図示はされていないがルーバー本体９または１０の幅（同図では奥行き方向の幅）程度の幅を有することが望ましい。
同図平面表示パネル２に構成されるルーバー１０の左端の凸部分は、平面表示パネル１及び２を組み合わせた際に、左隣りの平面表示パネル１に構成されるルーバー９の右端の凹部分に同図のように挿入される。
【００６２】
これら凹凸部分を組み合わせることにより、特に示されてはいないが平面表示パネルを略下方向から見た際に互いのルーバー９及び１０の間に隙間を作らない、組み合わせた平面表示パネルの同列のルーバーに渡って略下方向から見かけ上一続きに見えるルーバー（或いは光遮断部材とも呼ぶ）を形成する。
【００６３】
また、この凸部分を、対応する凹部分に対してやや小さめに形成することにより、熱膨張等により図４の各平面表示パネル１及び２が互いに接近しても、これら凹凸部分間で互いに押し合うことを回避できる。
【００６４】
このような構成により、熱膨張しても平面表示パネル１、２に構成されたルーバー９、１０は、平面表示パネルに影響を与えることなく上記一続きのルーバーの状態を維持している。
【００６５】
以上のように、本実施例においては、水平方向に組み合わされる平面表示パネル間の隙間が、互いの同列のルーバー間で略下方向から一続きに見えるので、平面表示パネル間の隙間から、所定の発光素子で形成される無意味な縦線や入射してくる外光を遮断することが可能となる。
【００６６】
また、ルーバー端部の凹部分に対する凸部分が小さ目に構成されているので、熱膨張による平面表示パネル間の押し合いを回避することが可能となる。
（実施例５）
図５は、水平方向に組み合わせた２枚の平面表示パネルを示したものであり、図５（ａ）は正面図を示し、図５（ｂ）は接合部材１２の挿入方法を示し、図５（ｃ）は図５（ａ）のＡ−Ａ´の断面図を示す。
【００６７】
なお、説明を分かり易くするために、平面表示パネル一枚当たりの画素９２が縦２列横２列である計４画素の平面表示パネルを例に挙げている。
同図には、２枚の平面表示パネル１及び２が水平に組み合わされ、同図の平面表示パネル１（または２）の画素９２の各列の上方にルーバー１１とこれらを接合する着脱可能な接合部材（或いは接合用部分光遮断部材とも呼ぶ）１２とが構成されている。
【００６８】
本実施例においては１枚の平面表示パネルのルーバー１１の両端に同一形状の凹部分が同図のように構成され、互いに対向するこれら凹部分の間に、同図（ａ）には簡略して示されているが、上記接合部材１２が挿入されるようになっている。
【００６９】
この接合部材１２は、図５（ｂ）に示されるように、組み合わされた平面表示パネル１及び２の向かい合わせとなるルーバー１１の夫々の凹部に対して同図矢印方向に均一に挿入される板状のものであり、同図の接合部材１２上の手前の位置に構成される三角柱の固定部材１３が図５（ｃ）に示されるように上記向かい合わせのルーバー１１とこの接合部材１２を固定する。
【００７０】
この固定は、固定部材１３にかかる上下方向の力によって成立している。
この接合部材１２の挿入によって、上記向かい合わせのルーバー１１の間に隙間ｌを作らない、組み合わせた平面表示パネルの同列のルーバーに渡って見かけ上一続きに見えるルーバー（或いは光遮断部材とも呼ぶ）を形成する。
【００７１】
また、この接合部材１２は図５（ａ）に示されるように凹部分に対して幅がやや小さめに形成されているため、熱膨張等により同図の各平面表示パネル１及び２が互いに接近しても、接合部材１２とルーバー１１端部の凹部分とが互いに押し合うことはない。
【００７２】
このような構成により、熱膨張しても平面表示パネル１、２に構成された各ルーバー１１は、平面表示パネルに影響を与えることなく上記一続きのルーバーの状態を維持している。
【００７３】
以上のように、本実施例においては、水平方向に組み合わされる平面表示パネル間の隙間が、互いの同列のルーバー間で一続きとなるので、平面表示パネル間の隙間から、所定の発光素子で形成される無意味な縦線や入射してくる外光を遮断することが可能となる。
【００７４】
また、ルーバー端部の凹部分に噛み合わせる接合部材の幅が小さめに形成されているので、熱膨張による平面表示パネル間の押し合いを回避することが可能となる。
（実施例６）
図６は水平方向に組み合わせる際の２枚の平面表示パネルの正面図を示し、図６（ａ）には２枚の平面表示パネルの組み合わせ前の図を示し、図６（ｂ）には２枚の平面表示パネルの組み合わせ後の図を示している。
【００７５】
同図は、２枚の平面表示パネル１及び２を水平に組み合わせた際の表示画面側から作図され、各画素列の上方のルーバー１４の上に、隙間ｌを埋めるための接合用部材（或いは接合用部分光遮断部材とも呼ぶ）１５が示されている。
【００７６】
なお、説明を分かり易くするために、平面表示パネル一枚当たりの画素９２が縦２列横２列である計４画素の平面表示パネルを例に挙げている。
図６（ａ）のルーバー１４上の左右の端部には接合用部材１５をはめ込むための孔１６が形成され、同図の接合用部材１５の下に突き出た凸部分が図６（ｂ）に示されるように平面表示パネルの組み合わされる側のルーバー１４に形成された互いの孔１６に対してはめ込まれる。
【００７７】
そして、このことにより、図６（ｂ）に示すように互いのルーバー１４間に隙間ｌを作らない、組み合わせた平面表示パネル１及び２の同列のルーバー１４に渡って見かけ上一続きとなるルーバー（或いは光遮断部材とも呼ぶ）を形成する。
【００７８】
また、熱膨張等により図６（ｂ）の各平面表示パネル１及び２が接近することを考慮して、この接合用部材１５は、互いの押し合いに対して変形を自在に行なって力を逃がすことが可能な例えばゴムなどの弾性部材で形成することが望ましい。
【００７９】
このような構成により、熱膨張等により図（ｂ）の各平面表示パネル１及び２が接近しても同図の破線に示されるように接合用部材１５が同図上方に湾曲することで、平面表示パネルに影響を与えることなく上記一続きのルーバーの状態を維持している。
【００８０】
なお、上述した接合用部材１５の凸部分及びこれに対応するルーバー１４の孔１６の形状は、円柱形状でも直方体形状でも形状は自由に設定してよい。
また、接合用部材１５を同図上方から見た場合の形状は、ルーバー１４と同じ幅（同図の奥行きの幅）を持つ矩形形状であることが望ましいが、同図の下方から見て隙間ｌが埋められる程度であれば、どのような形状にでも設定できる。
【００８１】
以上のように、本実施例においては、水平方向に組み合わされる平面表示パネル間の隙間が、互いの同列のルーバー間で一続きとなるので、平面表示パネル間の隙間から、所定の発光素子で形成される無意味な縦線や入射してくる外光を遮断することが可能となる。
【００８２】
また、ルーバー端部の部材を弾性部材で構成することによって、熱膨張による平面表示パネル間の押し合いを回避することが可能となる。
（実施例７）
図７は、平面表示パネルに対してルーバーを後から取り付けるタイプの一例である。
【００８３】
図７は、２枚の平面表示パネル１及び２の一画素列のみを作図したもので、図７（ａ）がその正面図であり、図７（ｂ）がその側面図である。
なお、説明を分かり易くするために、平面表示パネル一枚当たりの画素９２が横２列の平面表示パネルを例に挙げている。
【００８４】
本実施例においては、同図のように、ルーバーの構成されていない２枚の平面表示パネル１及び２を組み合わせてから、２枚の平面表示パネル１及び２の同列の画素列上方に、表示パネル１及び２に渡って一続きの棒状のルーバー（或いは光遮断部材とも呼ぶ）１７を取り付ける。
【００８５】
同図に示されるように、画素列の上方にはルーバー１７を取り付けるための載置台１８が構成され、この載置台１８に載せるルーバー１７の対応個所が図７（ｂ）のルーバー１７に示されるように窪んでいる。
【００８６】
本実施例においては、これらルーバー１７と載置台１８とを、合い相反した極（同図においてはルーバー１７がＳ極であり、載置台１８がＮ極である）を有する磁石で構成して同図の矢印で示すように接合する。
【００８７】
なお、本実施例で示す、磁石で構成するルーバー１７と載置台１８の形状とは、一例を示すものであり、その形状はその他適宜設定してもよい。
また、本実施例においては、２つの平面表示パネルに限定して説明したが、２つに限定されることなく、上述したルーバー１７は複数の平面表示パネルに跨って一続きとなるもので複数の平面表示パネルに接合してもよい。
【００８８】
このように構成することによって、平面表示パネルを組み合わせた際に生ずる隙間ｌも一続きのルーバーによって一部をふさぐことが可能となる。
以上のように、本実施例においては、水平方向に組み合わされる平面表示パネル間の隙間が、互いの同列のルーバー間で一続きとなるので、平面表示パネル間の隙間から、所定の発光素子で形成される無意味な縦線や入射してくる外光を遮断することが可能となる。
（実施例８）
図８は、図７と同様に、平面表示パネルに対してルーバーを後から取り付けるタイプの例である。
【００８９】
図８は、２枚の平面表示パネル１及び２の一画素列のみを作図したもので、その側面図を示したものであり、正面図は、図７（ａ）に示したものにおいて、実施例７では載置台１８であった凸部のものを、凹部とした場合に相当する。
【００９０】
２つの平面表示パネル１及び２が図７（ａ）に示されるように組み合わされると、図８に矢印で示すように棒状のルーバー（或いは光遮断部材とも呼ぶ）１９を平面表示パネル１及び２に一続きに構成される凹部分２０に挿入することができる。
【００９１】
このように構成することによって、平面表示パネルを組み合わせた際に生ずる図７（ａ）の隙間ｌも一続きのルーバーによって一部をふさぐことが可能となる。
【００９２】
以上のように、本実施例においては、水平方向に組み合わされる平面表示パネル間の隙間が、互いの同列のルーバー間で一続きとなるので、平面表示パネル間の隙間から、所定の発光素子で形成される無意味な縦線や入射してくる外光を遮断することが可能となる。
【００９３】
また、ルーバー端部の部材を弾性部材で構成することによって、熱膨張による平面表示パネル間の押し合いを回避することが可能となる。
【００９４】
【発明の効果】
以上述べたように、本発明によれば、複数の平面表示パネルに渡って一続きとなる光遮断部材が構成されるので、表示画面上の平面表示パネルの繋ぎ目に所定の視認角度で生じる、所定の発光色のみで形成された無意味な発光素子の列（縦線）や、この繋ぎ目に外光が入り込むことによる、その反射光で形成された繋ぎ目上の縦線を遮断することが可能となり、表示画面の視認性を飛躍的に向上させる。
【００９５】
また、光遮断部材を弾性部材で構成することによって、熱膨張による平面表示パネル間の押し合いを回避することも可能となる。
【図面の簡単な説明】
【図１】水平方向に組み合わせた２枚の平面表示パネルを上端のルーバー側から作図した、平面表示パネルの平面図である。
【図２】水平方向に組み合わせた２枚の平面表示パネルの正面図の一部である。
【図３】水平方向に組み合わせた２枚の平面表示パネルの正面図である。
【図４】水平方向に組み合わせた２枚の平面表示パネルの正面図である。
【図５】水平方向に組み合わせた２枚の平面表示パネルである。
【図６】水平方向に組み合わせた２枚の平面表示パネルの正面図である。
【図７】平面表示パネルに対してルーバーを後から取り付けるタイプの一例である。
【図８】平面表示パネルに対してルーバーを後から取り付けるタイプの別の例である。
【図９】大型表示装置の表示画面を構成する表示パネルである。
【図１０】隣り合う画素のピッチが等しくなうように平面表示パネルを隣り合わせで組み合わせた例である。
【符号の説明】
１，２      平面表示パネル
３，４      ルーバー
５，６      ルーバー
９２      画素
ｌ      隙間
【図１】
2004177881.tif 000003
【図２】
2004177881.tif 000004
【図３】
2004177881.tif 000005
【図４】
2004177881.tif 000006
【図５】
2004177881.tif 000007
【図６】
2004177881.tif 000008
【図７】
2004177881.tif 000009
【図８】
2004177881.tif 000010
【図９】
2004177881.tif 000011
【図１０】
2004177881.tif 000012